(57)【要約】【課題】  ドアを開けたままユーザがランプ電源供給部に対する想定外の操作を行おうとしても、それを妨げる電子機器を提供する。【解決手段】  筐体カバーの一部として構成されたランプドア３と、前記ランプドアの裏手に交換可能に設置されたランプ６と、前記ランプドアの裏側に取り付けられたロック用かぎと、前記ロック用かぎに貫入されるロックアームと、前記ロックアームの前記ロック用かぎへの貫入を妨げるよう前記ロックアームを前記筐体カバーへ引き付けるバネと、前記ロックアームの前記ロック用かぎへの貫入を行うよう前記ロックアームに作用点で接続された梃子をなす磁性体のロックアーム可動部と、前記ロックアームの前記ロック用かぎへの貫入を行うよう前記ロックアーム可動部の力点部を引き付ける電磁石部とを備えたことを特徴とする電子機器。【選択図】      図３
2007033971.tif 000002
【特許請求の範囲】
【請求項１】
筐体カバーの一部として構成されたランプドアと、
前記ランプドアの裏手に交換可能に設置されたランプと、
主電源投入状態においては前記ランプドアの開放を禁止する機構と、
主電源未投入状態においては前記ランプドアを開放できる機構とを
備えたことを特徴とする電子機器。
【請求項２】
筐体カバーの一部として構成されたランプドアと、
前記ランプドアの裏手に交換可能に設置されたランプと、
前記ランプドアの裏側に取り付けられたロック用かぎと、
前記ロック用かぎに貫入されるロックアームと、
前記ロックアームの前記ロック用かぎへの貫入を妨げるよう前記ロックアームを前記筐体カバーへ引き付けるバネと、
前記ロックアームの前記ロック用かぎへの貫入を行うよう前記ロックアームに作用点で接続された梃子をなす磁性体のロックアーム可動部と、
前記ロックアームの前記ロック用かぎへの貫入を行うよう前記ロックアーム可動部の力点部を引き付ける電磁石部とを
備えたことを特徴とする電子機器。
【請求項３】
前記電磁石部が交流電圧電源に接続されている場合は前記ロックアームの前記ロック用かぎへの貫入を行うことを特徴とする請求項２に記載の電子機器。
【請求項４】
前記バネが交流電圧電源に接続されていない場合は前記ロックアームの前記ロック用かぎへの貫入を行わないことを特徴とする請求項２に記載の電子機器。
【発明の詳細な説明】
【技術分野】
【０００１】
本発明は、電子機器に係り、特にランプを用いた電子機器に関する。
【背景技術】
【０００２】
電子機器として例えばプロジェクションテレビにおいて、映像をスクリーンに投射するための光源としてランプが用いられている。但しこのランプには高出力の光を得るために、電源として例えば高い直流電圧が供給されている場合が多い。温度異常の対策が必要である。そして多くはランプはユーザが交換できるような扱いとなっているので、ユーザが直流電圧源にアクセスしないようにする対策も必要である。前者の温度異常の対策に関しては、例えば特許文献１によるものは、温度異常の発生時には電源をオフする特徴があった。温度異常検出を行いシステムマイコンで異常判定をする構成のものである。しかし、上記後者のユーザが直流電圧源にアクセスしないようにする対策は実現されていない。ランプ格納部分のドアを開けたままユーザがランプ電源供給部に対する想定外の操作、例えばユーザが直流電圧源を触れること、を妨げる対策が必要であるという問題があった。
【特許文献１】特開平９−１３０７００（図８参照）
【発明の開示】
【発明が解決しようとする課題】
【０００３】
本発明は、ドアを開けたままユーザがランプ電源供給部に対する想定外の操作を行おうとしても、それを妨げる電子機器を提供することを目的とする。
【課題を解決するための手段】
【０００４】
上記課題を解決するために、筐体カバーの一部として構成されたランプドアと、前記ランプドアの裏手に交換可能に設置されたランプと、主電源投入状態においては前記ランプドアの開放を禁止する機構と、主電源未投入状態においては前記ランプドアを開放できる機構とを備えたことを特徴とする電子機器。
【発明の効果】
【０００５】
本発明によれば、ドアを開けたままユーザがランプ電源供給部に対する想定外の操作を行おうとしても、それを妨げる事を可能にした電子機器が得られる。
【発明を実施するための最良の形態】
【０００６】
以下、本発明の実施例を説明する。
【実施例１】
【０００７】
本発明による電子機器の実施例１を図１乃至図４を参照して説明する。
図１は、電子機器のプロジェクションテレビにおける外観図である。プロジェクションテレビのキャビネット１は前面にスクリーン２を備え、本電子機器は、図１に示されるように外観として側面にランプドア３の外側面が出ている。なおキャビネット１内にはランプドア３を外側に回動して開くためのドアヒンジ４がキャビネット１とランプドア３に跨って取付けられている。ランプドア３は筐体カバーの一種であるサイドカバー５に位置している。
【０００８】
図２は、電子機器のランプ周り概略図である。図１とは反対にキャビネット１の内側から見た状態を表していて、従ってランプドア３とサイドカバー５は内側面が見えている。ランプ６が、下方で支えられたケース内に収まっている。なお図２で円で囲んだ部分を拡大図として次の図３に示す。
【０００９】
図３は、電子機器のランプ周り概略図の部分拡大図である。ランプドア３をロックするためのロックアーム７は、動作機構部分として磁性体であるロックアーム可動部７ａに支点7ｂで接続し、ロックアーム可動部は支点7ｃでサイドカバー５に接続している。バネ８はロックアーム７をサイドカバー５へと引き付けるためのものであり、電磁石９は特にその軸となっている電磁石芯部分９ａから発する磁界の作用によりロックアーム可動部７ａを引き付けるためのものである。電磁石９と電磁石芯部分９ａとで言わば電磁石部を構成している。ロック用かぎ２０はランプドア３に取り付けられていてロックアーム７が貫入することにより、ランプドア３を開かないようにロックするためのものである。
【００１０】
図４は、電子機器の接続回路図である。入力電源３０は交流電圧源で整流用のダイオードスタック３１、更に平滑用電解コンデンサ３２に導かれて、ランプ３他プロジェクションテレビの図示せぬ各構成要素、例えばスクリーンへの映写用回路、スピーカ、受信回路等の直流電圧源となっている。入力電源３０はこれと並列して、電子機器用の電源トランス３５を介して整流ダイオード３６と平滑用電解コンデンサ３７に導かれて、電磁石９に上記磁界を発生させるための直流電圧源となっている。
【００１１】
図４に示されているように、電磁石９は入力電源３０が供給されているときには磁界を発生している。これはＡＣコンセントにプロジェクションテレビの電源プラグが挿入されている場合には、電磁石９がロックアーム可動部７ａを引き付けていることに相当する。ロックアーム可動部７ａは電磁石９に引き付けられることにより支点７ｃを中心に支点７ｂを作用点として、ロックアーム７をロック用かぎ２０へと貫入させる。これによりランプドア３は開かないようにロックされる。
【００１２】
他方、電磁石９は入力電源３０が供給されないときには磁界を発生しない。これはＡＣコンセントにプロジェクションテレビの電源プラグが挿入されていない場合には、バネ８がロックアーム７を引き付けていることに相当する。ロックアーム７はロック用かぎ２０への貫入状態でなくなる。これによりランプドア３はロックされなくなり手動で開くことができるようになる。ランプドア３の開閉のやり方は例えば図１でヒンジ４と反対側のランプドア３を押すと、１回ごとに開閉状態が切り替わるような方式がある。
【００１３】
このように、本実施例では、主電源投入時即ちＡＣコンセントにプロジェクションテレビの電源プラグが挿入されている場合には、電磁石９の働きによりランプドア３がロックされユーザが想定外の操作をすることを本質的に防止するという効果がある。
【００１４】
例えば、ユーザが直流電圧源に指で触れられない構造が採られることが多いにしても、更にピンセット等の道具を用いてランプへの電圧供給の露出部をショートさせるといった想定外の操作を行うことによってランプへ通じている電源回路にストレスが加わり回路の寿命に影響が出る可能性を無くすことができる。
【図面の簡単な説明】
【００１５】
【図１】本発明による電子機器の実施例１の外観図。
【図２】電子機器の実施例１のランプ周り概略図。
【図３】電子機器の実施例１のランプ周り概略図の部分拡大図。
【図４】電子機器の実施例１の接続回路図。
【符号の説明】
【００１６】
１  キャビネット
２  スクリーン
３  ランプドア
４  ドアヒンジ
５  サイドカバー
６  ランプ
７  ロックアーム
７ａ  ロックアーム可動部
7ｂ  支点
7ｃ  支点
8  バネ
9  電磁石
９ａ  電磁石芯部分
２０  ロック用かぎ
３０  入力電源
３１  ダイオードスタック
３２  平滑用電解コンデンサ
３５  電源トランス
３６  整流ダイオード
３７  平滑用電解コンデンサ
【図１】
2007033971.tif 000003
【図２】
2007033971.tif 000004
【図３】
2007033971.tif 000005
【図４】
2007033971.tif 000006